【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
支持体に取付け可能なベースと、
選択的に、前記ベースに取付け可能および前記ベースから取り外し可能なマウント部材と、
前記ベースと前記マウント部材とを保持する保持機構と
を備え、
前記保持機構は多重保持機構であって、それぞれの保持機構は、前記ベースと前記マウント部材とを保持する保持機能を独立して有することができ、かつ前記保持機能を付与するように独立して動作可能であり、
前記保持機構は、
少なくとも１つの、選択的に保持動作および解除動作を行うことができ、かつラッチを用いて動作する、選択的動作可能な機械的リテーナと、
選択的に保持動作および解除動作を行うことができ、かつ位置関係に応答して動作する、第２のアタッチメントと
を含む、取り付けシステム。
【請求項２】
前記第２のアタッチメントは、少なくとも１つの磁石と、少なくとも１つの磁気応答性のプレートとを含む、請求項１に記載の取付けシステム。
【請求項３】
前記第２のアタッチメントは、前記ベース内に設けられた第１の磁石手段と、前記マウント部材内に設けられた第２の磁石手段とを含み、前記マウント部材が前記ベースに連結されると、前記第２の磁石手段は前記第１の磁石手段と位置合わせ可能となる、請求項１に記載の取付けシステム。
【請求項４】
器具が前記マウント部材に取り付けられる、請求項１から３のいずれかに記載の取付けシステム。
【請求項５】
前記器具は、煙探知機および／または照明器具を含む、請求項４に記載の取付けシステム。
【請求項６】
前記少なくとも１つの選択的に動作可能な機械的リテーナは、クリップおよび保持部材を含んでおり、前記クリップはクリップホルダ内に設けられ、前記クリップは、取り外しツールを適用することによって前記クリップホルダ内に引っ込めることができ、前記クリップホルダは前記マウント部材に取り付けられており、前記保持部材は前記ベースに取り付けられている、請求項１から５のいずれかに記載の取付けシステム。
【請求項７】
前記ベースは前記マウント部材に対する電気結線をさらに含んでいる、請求項１から６のいずれかに記載の取付けシステム。
【請求項８】
前記少なくとも１つの選択的動作可能な機械的リテーナを動作させて前記ベースを前記マウント部材から分離するように前記少なくとも１つの選択的動作可能な機械的リテーナに対して配置できるツールと、前記第２のアッタチメントを解放する力を付与する伸張部材をさらに含んでいる、請求項１から７のいずれかに記載の取付けシステム。
【請求項９】
前記マウント部材に対して一時的に連結して、前記マウント部材を前記ベースに対して配置し、かつ前記マウント部材を前記ベースに保持するためのツールと、
前記ツールおよび前記マウント部材を共に保持し、前記ベースに対して前記マウント部材が配置されると解除可能になるラッチと
をさらに備えた、請求項１から７のいずれかに記載の取り付けシステム。
【請求項１０】
ベースにマウント部材を解除可能に連結させる方法であって、前記方法は、
前記ベースを支持体に固定する工程と、
ロッドの一方の端部を、前記マウント部材に固定されたロッド取り付け手段に取り付ける工程と、
前記ロッドを用いて前記マウント部材を前記ベースに位置合わせする工程と、
保持機構を用いて前記マウント部材を前記ベースに固定する工程と
を包含し、
前記保持機構は多重保持機構であり、それぞれの保持機構は、前記ベースと前記マウント部材とを保持する保持機能を独立して有することができ、かつ前記保持機能を付与するように独立して動作可能であり、前記保持機構は、
少なくとも１つの、選択的に保持動作および解除動作を行うことができ、かつラッチを用いて動作する、選択的動作可能な機械的リテーナと、
選択的に保持動作および解除動作を行うことができ、かつ位置関係に応答して動作する、第２のアッタチメントと
を含む、方法。
【請求項１１】
前記方法は、前記マウント部材を前記ベースに固定する工程の後に、前記マウント部材を前記ベースから分離する工程をさらに包含し、前記分離する工程は、
前記ロッドの一方の端部を、前記マウント部材に固定された前記ロッド取り付け手段に取り付ける工程と、
前記保持機構を解放する工程と、
前記マウント部材を、前記ロッドの前記端部で支持する工程と、
前記マウント部材を下ろす工程と
を含む、請求項１０に記載の方法
【請求項１２】
前記マウント部材と前記ベースとを磁気的に連結させる工程をさらに包含し、前記磁気的に連結させる工程は、磁石および鉄性金属板を前記ベースと前記マウント部材との間に挿入する工程を含む、請求項１０または１１に記載の方法。
【請求項１３】
ベースと、
前記ベースに結合されたロッド取り付け手段と、
前記ベースから前記ロッド取り付け手段とある角度をなして伸長する連結手段と
を備えた、器具設置および取り外しツール。
【請求項１４】
支持体に固定的に取り付け可能な第１のサブアセンブリと、
前記第１のサブアセンブリに取り付け可能な第２のサブアセンブリと、
前記第２のサブアセンブリを伸張部材の一方の端部と共働させて前記第２のサブアセンブリを操作する、アタッチメントと
を備え、
前記第１のサブアセンブリおよび前記第２のサブアセンブリは戻り止め構造を含み、前記戻り止め構造の第１部分は、前記第１および第２のサブアセンブリのうちの一方の壁の外側部分に形成されキャッチを含んでおり、前記戻り止め構造の第２部分は、前記第１および第２のサブアセンブリのうちの他方の壁の内側部分の複数のリッジを含んでおり、前記第２のアセンブリが前記第１のアセンブリに取り付けられるとき、前記複数のリッジは前記キャッチと接合する、器具取り付け構造体。
【請求項１５】
固定サブアセンブリに取り外し可能に連結された懸垂サブアセンブリを取り外す方法であって、
前記懸垂サブアセンブリにツールを連結させて、第１の保持機構を解除する工程と、
前記ツールに力を付与して、第２の保持機構を解除する工程と、
前記懸垂サブアセンブリを引き抜く工程と
を包含する、方法。
【請求項１６】
懸垂サブアセンブリを相対的に遠隔にある固定サブアセンブリに取り外し可能に連結する方法であって、
前記懸垂サブアセンブリにツールを連結させて、第１の保持機構を解除する工程と、
前記ツールを用いて前記懸垂サブアセンブリを前記固定サブアセンブリに位置合わせし、それにより第２の保持機構を拘束する工程と、
前記ツールを前記懸垂サブアセンブリから分離し、それにより前記第１の保持機構を拘束する工程と
を包含する、方法。
【請求項１７】
相対的に固定されたサブアセンブリに対して配置可能なサブアセンブリを配置するための器具設置および取り外しツールであって、前記配置可能なサブアセンブリは、前記相対的に固定されたサブアセンブリと前記配置可能なサブアセンブリとの間の位置関係に応答して動作可能なラッチ機構を有しており、前記ツールは、
マニピュータと、
前記配置可能なサブアセンブリを支持するための、前記マニピュレータに結合された支持部材と
を備え、
前記支持部材は前記配置可能なサブアセンブリの前記ラッチ機構によって保持可能な固定構造を含み、それによって前記支持部材は選択的に保持および解除される、器具設置および取り外しツール。
【請求項１８】
前記固定構造は前記支持部材の戻り止めまたは凹部を含む、請求項１７に記載の器具設置および取り外しツール。
【請求項１９】
相対的に固定されたサブアセンブリに対して安定的に配置される配置可能なサブアセンブリであって、
前記配置可能なサブアセンブリを前記相対的に固定されたサブアセンブリに取り付けるためのアッタチメントと、
前記配置可能なサブアセンブリを支持ツールに接続し、前記配置可能なサブアセンブリを一時的に支持かつ操作するための接続部と、
前記配置可能なサブアセンブリを前記支持ツールに固定するためのラッチと
を備え、
前記ラッチは、前記相対的に固定されたサブアセンブリとの位置関係に応答して前記固定を解除する動作機構を有している、配置可能なサブアセンブリ。